(57)【要約】  本発明は、導管（２）を有する本体（１）と、濾過通路を有し、導管内に延びるフィルタ（１６）と、本体内で、導管が封止される位置と、導管が開かれる位置との間を動くことができるようになっている弁体（６）とを備えるバルブ装置に関する。前述のフィルタは、相補形外形を有する２つの濾過部（１７、１８）を有し、この２つの濾過部は、濾過通路が、相補形外形の向かい合う部分の間に形成されるように、本体と、本体内に固定された支持体（７）とに、それぞれ堅固に結合されている。【選択図】      図３
2008519225.tif 000002
【特許請求の範囲】
【請求項１】
導管（２）を有する本体（１）と、濾過通路（ｅ、ｅ１、ｅ２）を有し、前記導管内に延びるフィルタ（１６）と、前記本体内で前記導管を閉じる閉位置と、前記導管を開く開位置との間を動くように装架された弁体（６）とを備えるバルブであって、前記フィルタは、２つの濾過部（１７、１８）を有し、これら濾過部は、相補形外形を有し、かつ前記濾過通路が、前記相補形外形の向かい合う部分（２６、２７）の間に規定されるように、前記本体と、前記本体内に固着された支持体（７）とに、それぞれ取り付けられていることを特徴とするバルブ。
【請求項２】
相補形外形が、互いに係合する歯（１９、２９）を有することを特徴とする請求項１に記載のバルブ。
【請求項３】
歯（１９、２９）が、弁体（６）の周りに、同心円に配置されていることを特徴とする請求項２に記載のバルブ。
【請求項４】
歯（１９、２９）が、閉位置と開位置との間で、弁体（６）の滑動方向と平行であることを特徴とする請求項２または３に記載のバルブ。
【請求項５】
少なくとも１つの濾過部（１７）における各歯（１９、２９）が、他の濾過部（１８）の２つの隣接する歯（１９、２９）に対して中心合わせをするための少なくとも１つのセンタリング部（２４、２５）を有することを特徴とする請求項２〜４のいずれかに記載のバルブ。
【請求項６】
弁体（６）を駆動し、かつ本体（１）に装架されるアクチュエータ（１０）を備え、このアクチュエータは、前記弁体（６）の軸に装架された支持体（７）に取り付けられていることを特徴とする請求項１に記載のバルブ。
【請求項７】
支持体（７）は、弁体（６）の近くにおいて、カラー（９）を備え、かつ対応する濾過部（１８）が、前記カラーの周縁から延びていることを特徴とする請求項６に記載のバルブ。
【発明の詳細な説明】
【技術分野】
【０００１】
本発明は、流体輸送回路に流入する流体の流速を制御するために用いるのに適するバルブに関する。一例として、このバルブは、エンジンに燃料を供給する回路で使用できる。
【背景技術】
【０００２】
バルブは、一般に、導管を有する本体と、本体内で導管を閉じる閉位置と、導管を開く開位置との間を動くように装架された弁体とを備えている。アクチュエータ、例えば電磁アクチュエータが、本体に装架され、弁体を、前記閉位置と開位置との間で動かすようになっている。
【０００３】
フィルタも設けられ、導管内に延びて、粒子が、バルブを詰まらせて、閉塞するか、またはバルブの下流にある装置を損傷するのを防止している。このような粒子の例は、バルブの上流に設置された燃料蒸気を再循環させる装置（「キャニスタ」）で使用される活性炭の粒子から生じるか、または、バルブの上流の回路において、の磨耗にさらされる構成要素から発生する金属の削りくずから生じる。
【発明の開示】
【発明が解決しようとする課題】
【０００４】
本体の成形時に、本体にフィルタを直接に組み込んだバルブは公知である。前記フィルタは、一般に、相隔たり、かつ濾過通路を形成するべく、対向する部分を有する歯を備えている。濾過通路の最小幅は、この位置における構成要素の最小幅によって規定される。そのため、このようなバルブは、上に規定した最小幅よりも大きさの小さい粒子が存在するおそれがある回路に使用することはできない。
【０００５】
従って、上述したような制約のない安価な濾過手段を組み込んだバルブを提供することは有意義である。
【課題を解決するための手段】
【０００６】
この目的を達成するために、本発明は、導管を有する本体と、本体内で導管を閉じる閉位置と、導管を開く開位置との間を動くように装架された弁体とを備えるバルブにおいて、フィルタは、濾過通路を有し、かつ導管内に延び、２つの濾過部からなっている。この２つの濾過部は、相補形外形を有し、濾過通路が相補形外形の向かい合う部分の間に形成されるように、本体と、本体内に固着された支持体とに、それぞれ取り付けられている。
【０００７】
これにより、濾過通路の寸法は、２つの濾過部分の相対的位置によって定められる。従って、製造組立公差に関連する限度以外に、寸法上の限度はない。従って、濾過通路を非常に小さい寸法とすることができる。しかも、フィルタの構造は、比較的簡単である。
【０００８】
本発明の他の特徴および利点については、本発明の特定の限定されない実施形態に関する次の説明により、明らかになると思う。
【０００９】
本発明について、添付図面を参照して説明する。
【発明を実施するための最良の形態】
【００１０】
図示のように、本発明によるバルブは、入口孔２および出口孔３を有する本体１を備え、両孔の端部は、筐体４内に通じている。出口孔３の内端は、磁性材料から作られた、公知の弁体６用の弁座５となっている。
【００１１】
弁体６は、筐体４内に固着された支持体７に支持され、出口孔３の軸線上で、弁座５に面している。
【００１２】
支持体７は、管状部８を備え、管状部８の一端は、出口孔３の内側に位置するカラー９となっている。
【００１３】
支持体７は、弁体６を駆動する電磁アクチュエータ１０と連係されている。電磁アクチュエータ１０は公知のものであり、管状部８に挿入された磁心１１と、管状部８の周りに、公知のやり方で配置され、かつ電気コネクタ１３に接続されたコイル１２とを備えている。コネクタ１２は、コネクタ１３により、電源（図示せず）と接続されている。
【００１４】
またアクチュエータ１０は、磁束ルーピングベル３０も備えている。磁心１１の端部は、カラー９から突出している。この例では、磁心１１は、支持体７に埋め込まれ、コイル１２は、導線を支持体７に直接巻き付けることによって形成されている。
【００１５】
弁体６は、公知の要領で筐体４内を案内され、弁体６が弁座５に当たっている閉位置と、弁体６が弁座５から離れている開位置との間を滑動する。コイルバネ１５が、カラー９と弁体６との間で、磁心１１の突出端部の周りに設けられ、弁体６を弁座５に押し付けている。
【００１６】
公知の要領で、コイル１２が励磁されると、弁体６を磁心１１の突出端部に引き付ける磁束が、磁心１１に発生させられ、この力は、コイルバネ１５で加えられる力に打ち勝つ。そのため弁体６は、開位置に移動する。
【００１７】
本発明によるバルブには、フィルタ１６が組み込まれている。濾過通路が２つの濾過部分の相補形外形の向かい合う部分の間に形成されるように、フィルタ１６は、本体１および支持体７にそれぞれ取り付けられた、相補形外形の２つの濾過部１７、１８を備えている。
【００１８】
濾過部１７は、弁体６の滑動方向と平行に筐体４内に延びる歯１９を備えている。この歯１９は、本体１と一体に作られている。
【００１９】
濾過部１８は、カラー９の周縁から弁体６の滑動方向と平行に通じる歯２９を備えている。
【００２０】
歯１９、２９は、それぞれ自由端２０、２１を有し、かつ本体１またはカラー９にそれぞれ連なる端部２２、２３を有している。端部２２、２３は、それぞれセンタリング部２４、２５を備えている。歯１９、２９は、弁体６の軸を中心とする２つの同心円に沿って、それらの近くに延び、それらの自由端２０、２１は、隣接する歯のセンタリング部２４の間に嵌入されている。
【００２１】
これにより、歯の中心が不適正となって、濾過通路の幅が歯の側方において過大となることが防止される。このようにして、厚さｅの濾過通路が、歯１９、２９の側面２６、２７の間に形成されている。
【００２２】
歯１９の自由端２０は、カラー９からある間隔を置いて延びているのに対して、歯２９の自由端２１は、本体１からある間隔を置いて延びている。これにより、ｅ１およびｅ２の幅を有する濾過通路が形成されている。この配置は、開位置においてバルブ部６によって可能になる最大流速に対して流体の流れを抑止しないように、最大濾過通路数を供する。
【００２３】
このようにして、入口孔２から入る流体は、濾過通路を経由して、出口孔３に達する。これによって、粒子が弁体６の動きを妨害したり、バルブの下流に配置された装置の動きを妨害したりするおそれをなくすことができる。
【００２４】
当然、本発明は、上に記載した実施形態に限定されるものではなく、さまざまな実施形態が、特許請求の範囲に規定されている本発明の範囲内で考えられる。
【００２５】
例えば、フィルタを入口孔２または出口孔３に配置し、支持体をもって、濾過部の１つを構成させてもよい。
【００２６】
また濾過部は、上に記載したものと異なる形状の相補形外形を備えているのがよい。また、相補形外形には、ギザギザが付いていたり、鋸歯状であったりしてもよい。また濾過通路を、歯の端部、または側面の間にだけ設けることもある。
【００２７】
さらに、バルブの構造は、上に記載したものと異なっていてもよい。アクチュエータは、筐体４の外側に配置された機械的アクチュエータであってもよい。この際、支持体は、濾過部分の１つを形成するような相補形外形を有する周縁を備えるカップ状とするのがよい。
【００２８】
歯は、放射状に延びていてもよい。
【００２９】
歯は、中央または両端に、センタリング部を有しているのがよい。歯が短い場合には、歯に特定のセンタリング部を設ける必要はない。
【図面の簡単な説明】
【００３０】
【図１】本発明の原理を示す２つの濾過部の部分断面図である。
【図２】本発明によるバルブの部分断面図である。
【図３】図２の枠ＩＩＩで示す部分の詳細図である。
【図４】図３の線ＩＶ−ＩＶにおける断面図である。
【符号の説明】
【００３１】
１  本体
２  入口孔
３  出口孔
４  筐体
５  弁座
６  弁体
７  支持体
８  管状部
９  カラー
１０  電磁アクチュエータ
１１  磁心
１２  コイル
１３  電気コネクタ
１５  コイルバネ
１６  フィルタ
１７、１８  濾過部
１９  歯
２０、２１  自由端
２２、２３  端部
２４、２５  センタリング部
２６、２７  側面
２９  歯
３０  磁束ルーピングベル
ｅ１、ｅ２  濾過通路の幅
【図１】
2008519225.tif 000003
【図２】
2008519225.tif 000004
【図３】
2008519225.tif 000005
【図４】
2008519225.tif 000006
【国際調査報告】
2008519225.tif 000007
2008519225.tif 000008
2008519225.tif 000009
2008519225.tif 000010